【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
第１のビデオ信号および第２のビデオ信号を受信し、前記第１のビデオ信号に前記第２のビデオ信号をオーバーレイして、第１のオーバレイビデオ信号を生成する第１のビデオオーバレイ回路を有する入力ステージと、
前記第１のオーバレイビデオ信号を処理するビデオ処理ステージと、
処理された前記第１のオーバレイビデオ信号を受信し、前記処理された第１のオーバレイビデオ信号に基づいて、主要出力上に第１のフォーマットで、第２のオーバレイビデオ信号を生成する主要パイプラインと、
前記処理された第１のオーバレイビデオ信号を受信し、前記処理された第１のオーバレイビデオ信号に基づいて、補助出力上に第２のフォーマットで、第３のオーバレイビデオ信号を生成する補助パイプラインと、
を備える、
プログラム可能なビデオ処理デバイス。
【請求項２】
前記ビデオ処理ステージは、
前記第１のオーバレイビデオ信号を受信し、前記第１のオーバレイビデオ信号を処理して前記第１のオーバレイビデオ信号の有する少なくとも一つの特徴を向上させ、前記主要パイプラインへ前記処理された第１のオーバレイビデオ信号を供給し、前記補助パイプラインへ前記処理された第１のオーバレイビデオ信号を供給する色管理部をさらに備える、
請求項１に記載のプログラム可能なビデオ処理デバイス。
【請求項３】
前記第１のビデオオーバレイ回路は、前記第１のオーバレイビデオ信号の一部が、前記第１のビデオ信号あるいは前記第２のビデオ信号のいずれに対応するかを示すビデオ信号インジケータをさらに供給する、
請求項２に記載のプログラム可能なビデオ処理デバイス。
【請求項４】
前記色管理部はさらに、
前記第１のオーバレイビデオ信号の前記一部が前記第１のビデオ信号に対応していることを前記ビデオ信号インジケータが示す場合、第１のビデオ信号パラメータを受信し、
前記第１のオーバレイビデオ信号の前記一部が前記第２のビデオ信号に対応していることを前記ビデオ信号インジケータが示す場合、第２のビデオ信号パラメータを受信する、
請求項３に記載のプログラム可能なビデオ処理デバイス。
【請求項５】
前記主要パイプラインは、
前記処理された第１のオーバレイビデオ信号と第３のビデオ信号とを受信し、前記処理された第１のオーバレイビデオ信号に前記第３のビデオ信号をオーバーレイして、前記第２のオーバレイビデオ信号を生成する、第２のビデオオーバレイ回路を含む、
請求項１から請求項４までの何れか一項に記載のプログラム可能なビデオ処理デバイス。
【請求項６】
前記補助パイプラインは、
前記処理された第１のビデオ信号と前記第３のビデオ信号とを受信し、前記処理された第１のオーバレイビデオ信号に前記第３のビデオ信号をオーバーレイして、前記第３のオーバレイビデオ信号を生成する、第３のビデオオーバレイ回路を含む、
請求項５に記載のプログラム可能なビデオ処理デバイス。
【請求項７】
前記第１のビデオ信号は主要ビデオ信号であって、
前記第２のビデオ信号はピクチャインピクチャ（ＰＩＰ）ビデオ信号であって、
前記第３のビデオ信号はオンスクリーンディスプレイ（ＯＳＤ）ビデオ信号である、
請求項６に記載のプログラム可能なビデオ処理デバイス。
【請求項８】
前記補助パイプラインは、
前記第３のオーバレイビデオ信号をスケールして、補助デバイスと関連付けられたパラメータに合致させるスケール回路をさらに含む、
請求項１から請求項７までの何れか一項に記載のプログラム可能なビデオ処理デバイス。
【請求項９】
前記補助パイプラインは、
前記スケール回路から、スケールされた前記第３のオーバレイビデオ信号を受信し、スケールされた前記第３のオーバレイビデオ信号をエンコードして、前記補助デバイスと関連付けられた前記パラメータに合致させるエンコード回路をさらに含む、
請求項８に記載のプログラム可能なビデオ処理デバイス。
【請求項１０】
前記補助パイプラインは、
前記第１のビデオ信号、前記第２のビデオ信号、前記第１のオーバレイビデオ信号および前記処理された第１のオーバレイビデオ信号を受信し、前記補助パイプラインの内部で、受信したビデオ信号の一つを処理回路へ選択的に供給する選択回路をさらに含む、
請求項１から請求項９までの何れか一項に記載のプログラム可能なビデオ処理デバイス。
【請求項１１】
少なくとも二つのオーバレイビデオ信号を供給する方法であって、
第１のビデオ信号および第２のビデオ信号を受信する段階と、
前記第１のビデオ信号に前記第２のビデオ信号をオーバーレイして、第１のオーバレイビデオ信号を生成する段階と、
前記第１のオーバレイビデオ信号を処理する段階と、
処理された前記第１のオーバレイビデオ信号に基づいて、主要出力上に第１のフォーマットで、第２のオーバレイビデオ信号を生成する段階と、
前記処理された第１のオーバレイビデオ信号に基づいて、補助出力上に第２のフォーマットで、第３のオーバレイビデオ信号を生成する段階と、
を備える方法。
【請求項１２】
前記第１のオーバレイビデオ信号を処理して、前記第１のオーバレイビデオ信号の有する少なくとも一つの特徴を向上させる段階と、
前記処理された第１のオーバレイビデオ信号を前記主要出力へ供給する段階と、
前記処理された第１のオーバレイビデオ信号を前記補助出力へ供給する段階と、
をさらに備える、
請求項１１に記載の方法。
【請求項１３】
前記第１のオーバレイビデオ信号の一部が、前記第１のビデオ信号あるいは前記第２のビデオ信号のいずれに対応するかを示す段階をさらに備える、
請求項１２に記載の方法。
【請求項１４】
前記第１のオーバレイビデオ信号の前記一部が前記第１のビデオ信号に対応していることが示される場合、第１のビデオ信号パラメータを受信する段階と、
前記第１のオーバレイビデオ信号の前記一部が前記第２のビデオ信号に対応していることが示される場合、第２のビデオ信号パラメータを受信する段階と、
をさらに備える
請求項１３に記載の方法。
【請求項１５】
第３のビデオ信号を受信する段階と、
前記処理された第１のオーバレイビデオ信号に前記第３のビデオ信号をオーバレイして、第２のオーバレイビデオ信号を生成する段階と、
をさらに備える、
請求項１１から請求項１４までの何れか一項に記載の方法。
【請求項１６】
前記処理された第１のオーバレイビデオ信号に前記第３のビデオ信号をオーバレイして、第３のオーバレイビデオ信号を生成する段階と、
をさらに備える、
請求項１５に記載の方法。
【請求項１７】
前記第１のビデオ信号、前記第２のビデオ信号、前記第１のオーバレイビデオ信号および前記処理された第１のオーバレイビデオ信号を受信する段階と、
受信したビデオ信号の一つを、前記補助出力へ選択的に供給する段階と、
をさらに備える、
請求項１１から請求項１６までの何れか一項に記載の方法。
【手続補正２】
【補正対象書類名】明細書
【補正対象項目名】００６１
【補正方法】変更
【補正の内容】
【００６１】
図７、８、および９は、デコーダ４２２を利用してビデオ信号４２６または４２８（図４）を生成する動作の三つの例示的モードを図示する。これら三つの動作モードは、例えば、コンポジットビデオ信号、ｓ−ｖｉｄｅｏ、およびコンポーネントビデオ信号を提供しうる。
【手続補正３】
【補正対象書類名】明細書
【補正対象項目名】０１４３
【補正方法】変更
【補正の内容】
【０１４３】
故に、共有記憶容量を利用して多数の高品質なビデオチャネルストリームを提供する装置および方法が提供される。当業者であれば、本発明が記載された実施形態以外の方法で実施することができることを理解するであろう、というのも実施形態は限定目的からではなく、例示目的で提示されており、本発明は以下の請求項のみにより限定されるからである。
なお、本願明細書には、以下の項目１から項目３７が記載されている。
（項目１）
第１のフォーマットで第１の画像コンテンツを有する少なくとも第１のビデオ信号を受信する入力ステージと、
第２のフォーマットで上記第１の画像コンテンツに実質的に等しい画像コンテンツを有する第２のビデオ信号を生成するビデオ処理ステージと、
主要パイプラインおよび補助パイプラインを含む出力ステージと、を備えるプログラム可能なビデオ処理デバイスであって、
上記主要パイプラインが、主要出力上に上記第１のフォーマットで上記第１のビデオ信号を供給し、
上記補助パイプラインが、補助出力上に上記第２のフォーマットで上記第２のビデオ信号を供給する、プログラム可能なビデオ処理デバイス。
（項目２）
上記ビデオ処理ステージは、オーバレイエンジンをさらに含み、
上記オーバレイエンジンは、
上記第１のビデオ信号を受信し、上記第１のビデオ信号の有する少なくとも一つの特徴を向上させ、向上した第１のビデオ信号を生成する色管理部と、
上記向上した第１のビデオ信号を受信し、上記主要パイプラインへ上記向上した第１のビデオ信号を供給する第１のオーバレイ回路と、
少なくとも上記第１のビデオ信号を受信し、上記第１のビデオ信号を上記補助パイプラインへ供給する選択回路と、を含む、項目１に記載のプログラム可能なビデオ処理デバイス。
（項目３）
上記オーバレイエンジンは、
上記第１の画像コンテンツとは異なる第２の画像コンテンツを有する第３のビデオ信号を受信する入力回路と、
上記第１のビデオ信号に上記第３のビデオ信号をオーバレイして第１のオーバレイビデオ信号を生成する第２のオーバレイ回路と、をさらに含む、項目２に記載のプログラム可能なビデオ処理デバイス。
（項目４）
上記色管理部は上記第１のオーバレイビデオ信号を受信する、項目３に記載のプログラム可能なビデオ処理デバイス。
（項目５）
上記第２のオーバレイ回路は、上記第１のオーバレイビデオ信号の一部が、上記第１のビデオ信号あるいは上記第３のビデオ信号のいずれに対応するかを示すビデオ信号インジケータをさらに供給する、項目４に記載のプログラム可能なビデオ処理デバイス。
（項目６）
上記色管理部はさらに、
上記第１のオーバレイビデオ信号の上記一部が上記第１のビデオ信号に対応していることを上記ビデオ信号インジケータが示す場合、第１のビデオ信号パラメータを受信し、
上記第１のオーバレイビデオ信号の上記一部が上記第３のビデオ信号に対応していることを上記ビデオ信号インジケータが示す場合、第２のビデオ信号パラメータを受信する、項目５に記載のプログラム可能なビデオ処理デバイス。
（項目７）
上記オーバレイエンジンは、
上記第１の画像コンテンツとは異なる第２の画像コンテンツを有する第３のビデオ信号と、上記第３のビデオ信号と関連付けられた優先度指示子とを少なくとも受信する、入力回路と、
上記優先度指示子に基づいて、上記向上した第１のビデオ信号に少なくとも上記第３のビデオ信号をオーバレイして第１のオーバレイビデオ信号を生成する、オーバレイ回路と、をさらに含む、項目２に記載のプログラム可能なビデオ処理デバイス。
（項目８）
上記第３のビデオ信号はＯＳＤビデオ信号であって、
上記オーバレイ回路は、上記向上した第１のビデオ信号に、上記第１の画像コンテンツおよび上記第２の画像コンテンツとは異なる第３の画像コンテンツ、キャラクタＯＳＤ、ビットマップされたＯＳＤ、あるいはカーソルＯＳＤを有する第４のビデオ信号を、さらにオーバレイする、項目７に記載のプログラム可能なビデオ処理デバイス。
（項目９）
上記少なくとも一つの特徴は、適応コントラスト強調、輝度、コントラスト、色相および彩度調節、色リマップ、彩度および色相制御、ガンマ制御、あるいは色空間変換である、項目２に記載のプログラム可能なビデオ処理デバイス。
（項目１０）
上記出力ステージは、
上記第２のビデオ信号を受信し、上記第２のビデオ信号をスケールして補助デバイスと関連付けられたパラメータに合致させるスケール回路を、上記補助パイプライン中にさらに含む、項目１に記載のプログラム可能なビデオ処理デバイス。
（項目１１）
上記出力ステージは、
上記スケール回路から上記スケールされた第２のビデオ信号を受信し、上記スケールされた第２のビデオ信号をエンコードして、上記補助デバイスと関連付けられた上記パラメータに合致させるエンコード回路を、上記補助パイプライン中にさらに含む、項目１０に記載のプログラム可能なビデオ処理デバイス。
（項目１２）
上記第１のビデオ信号の入力フォーマットが、ＮＴＳＣ、ＰＡＬ、ＨＤ、あるいはＳＤである、項目１に記載のプログラム可能なビデオ処理デバイス。
（項目１３）
上記第１のビデオ信号の上記主要出力上のフォーマットは、ＮＴＳＣ、ＰＡＬ、ＨＤ、あるいはＳＤであり、
上記第２のビデオ信号の上記補助出力上のフォーマットは、ＮＴＳＣ、ＰＡＬ、ＨＤ、あるいはＳＤである、項目１に記載のプログラム可能なビデオ処理デバイス。
（項目１４）
少なくとも二つのビデオ信号を供給する方法であって、
第１のフォーマットで第１の画像コンテンツを有する少なくとも一つの第１のビデオ信号を受信することと、
第２のフォーマットで上記第１の画像コンテンツに実質的に等しい画像コンテンツを有する第２のビデオ信号を生成することと、
主要出力上に上記第１のフォーマットで上記第１のビデオ信号を供給することと、
補助出力上に上記第２のフォーマットで上記第２のビデオ信号を供給することと、を備える方法。
（項目１５）
上記第１のビデオ信号の有する少なくとも一つの特徴を向上させることと、
向上した第１のビデオ信号を生成することと、
上記向上した第１のビデオ信号を上記主要出力へ供給することと、
上記第１のビデオ信号を上記補助出力へ供給することと、をさらに備える、項目１４に記載の方法。
（項目１６）
上記第１の画像コンテンツとは異なる第２の画像コンテンツを有する第３のビデオ信号を受信することと、
上記第１のビデオ信号に上記第３のビデオ信号をオーバレイして第１のオーバレイビデオ信号を生成することと、をさらに備える、項目１５に記載の方法。
（項目１７）
上記第１のオーバレイビデオ信号の一部が、上記第１のビデオ信号あるいは上記第３のビデオ信号のいずれに対応するかを示すことをさらに備える、項目１６に記載の方法。
（項目１８）
上記第１のオーバレイビデオ信号の上記一部が上記第１のビデオ信号に対応していることが示される場合、第１のビデオ信号パラメータを受信することと、
上記第１のオーバレイビデオ信号の上記一部が上記第３のビデオ信号に対応していることが示される場合、第２のビデオ信号パラメータを受信することと、をさらに備える項目１７に記載の方法。
（項目１９）
上記第１の画像コンテンツとは異なる第２の画像コンテンツを有する第３のビデオ信号と、上記第３のビデオ信号と関連付けられた優先度指示子とを少なくとも受信することと、
第１のオーバレイビデオ信号を生成すべく、上記優先度指示子に基づいて、上記向上した第１のビデオ信号に少なくとも上記第３のビデオ信号をオーバレイすることと、をさらに備える、項目１５に記載の方法。
（項目２０）
上記第３のビデオ信号はＯＳＤビデオ信号であって、
上記オーバレイすることにより、上記向上した第１のビデオ信号に、上記第１の画像コンテンツおよび上記第２の画像コンテンツとは異なる第３の画像コンテンツ、キャラクタＯＳＤ、ビットマップされたＯＳＤ、あるいはカーソルＯＳＤを有する第４のビデオ信号がオーバレイされる、項目１９に記載の方法。
（項目２１）
上記少なくとも一つの特徴は、適応コントラスト強調、輝度、コントラスト、色相および彩度調節、色リマップ、彩度および色相制御、ガンマ制御、あるいは色空間変換である、項目１５に記載の方法。
（項目２２）
補助デバイスに関連付けられたパラメータに合致させるよう、上記第２のビデオ信号をスケールすることをさらに備える、項目１４に記載の方法。
（項目２３）
補助デバイスに関連付けられたパラメータに合致させるよう、上記スケールされた第２のビデオ信号をエンコードすることをさらに備える、項目２２に記載の方法。
（項目２４）
上記第１のビデオ信号の入力フォーマットが、ＮＴＳＣ、ＰＡＬ、ＨＤ、あるいはＳＤである、項目１４に記載の方法。
（項目２５）
上記第１のビデオ信号の上記主要出力上のフォーマットは、ＮＴＳＣ、ＰＡＬ、ＨＤ、あるいはＳＤであり、
上記第２のビデオ信号の上記補助出力上のフォーマットは、ＮＴＳＣ、ＰＡＬ、ＨＤ、あるいはＳＤである、項目１４に記載の方法。
（項目２６）
少なくとも二つのビデオ信号を供給するシステムであって、
第１のフォーマットで第１の画像コンテンツを有する少なくとも一つの第１のビデオ信号を受信する手段と、
第２のフォーマットで上記第１の画像コンテンツに実質的に等しい画像コンテンツを有する第２のビデオ信号を生成する手段と、
主要出力手段上に上記第１のフォーマットで上記第１のビデオ信号を供給する手段と、
補助出力手段上に上記第２のフォーマットで上記第２のビデオ信号を供給する手段と、を備えるシステム。
（項目２７）
上記第１のビデオ信号の有する少なくとも一つの特徴を向上させる手段と、
第１の向上したビデオ信号を生成する手段と、
上記第１の向上したビデオ信号を上記主要出力手段に供給する手段と、
上記第１のビデオ信号を上記補助出力手段に供給する手段と、をさらに備える、項目２６に記載のシステム。
（項目２８）
上記第１の画像コンテンツとは異なる第２の画像コンテンツを有する第３のビデオ信号を受信する手段と、
上記第１のビデオ信号に上記第３のビデオ信号をオーバレイして第１のオーバレイビデオ信号を生成する手段と、をさらに備える、項目２７に記載のシステム。
（項目２９）
上記第１のオーバレイビデオ信号の一部が、上記第１のビデオ信号あるいは上記第３のビデオ信号のいずれに対応するかを示す手段をさらに備える、項目２８に記載のシステム。
（項目３０）
上記第１のオーバレイビデオ信号の上記一部が上記第１のビデオ信号に対応していることが示される場合、第１のビデオ信号パラメータ手段を受信する手段と、
上記第１のオーバレイビデオ信号の上記一部が上記第３のビデオ信号に対応していることが示される場合、第２のビデオ信号パラメータ手段を受信する手段と、をさらに備える項目２９に記載のシステム。
（項目３１）
上記第１の画像コンテンツとは異なる第２の画像コンテンツを有する第３のビデオ信号と、上記第３のビデオ信号と関連付けられた優先度指示子手段とを少なくとも受信する手段と、
第１のオーバレイビデオ信号を生成すべく、上記優先度指示子手段に基づいて、少なくとも上記第３のビデオ信号を、上記向上した第１のビデオ信号にオーバレイする手段と、をさらに備える、項目２７に記載のシステム。
（項目３２）
上記第３のビデオ信号はＯＳＤビデオ信号であって、
上記オーバレイする手段により、上記第１の向上したビデオ信号に、上記第１の画像コンテンツおよび上記第２の画像コンテンツとは異なる第３の画像コンテンツ、キャラクタＯＳＤ、ビットマップされたＯＳＤ、あるいはカーソルＯＳＤを有する第４のビデオ信号がオーバレイされる、項目３１に記載のシステム。
（項目３３）
上記少なくとも一つの特徴は、適応コントラスト強調、輝度、コントラスト、色相および彩度調節、色リマップ、彩度および色相制御、ガンマ制御、あるいは色空間変換である、項目２６に記載のシステム。
（項目３４）
補助デバイス手段に関連付けられたパラメータに合致させるよう、上記第２のビデオ信号をスケールする手段をさらに備える、項目２５に記載のシステム。
（項目３５）
補助デバイス手段に関連付けられたパラメータに合致させるよう、上記スケールされた第２のビデオ信号をエンコードする手段をさらに備える、項目３４に記載のシステム。
（項目３６）
上記第１のビデオ信号の入力フォーマットが、ＮＴＳＣ、ＰＡＬ、ＨＤ、あるいはＳＤである、項目２５に記載のシステム。
（項目３７）
上記第１のビデオ信号の上記主要出力上のフォーマットは、ＮＴＳＣ、ＰＡＬ、ＨＤ、あるいはＳＤであり、
上記第２のビデオ信号の上記補助出力上のフォーマットは、ＮＴＳＣ、ＰＡＬ、ＨＤ、あるいはＳＤである、項目２５に記載のシステム。